(57)【特許請求の範囲】
【請求項１】
管（１）を挟んで、平行に対面する板状で方形の磁石（２）を配置し、その両外側の各々磁極面に、板状で方形の強磁性体材料のヨーク１（３）を密着して配置して管内を流下する水に磁気を照射する装置の外周部に発生する漏洩磁束の遮蔽法に関し、
強磁性体材料のヨーク１（３）の各々外側に、常（非）磁性体材料のスペーサー１（４）を密着して平行に配置し、更に各々の外側に板状で方形の強磁性体材料のヨーク２（５）を密着して平行に配置し、
平行に対面した磁石（２）に挟まれている管（１）の側面を左右として、上下に対面する両側に、常（非）磁性体材料のスペーサー２（６）を各々密着して平行に配置し、更にその両外側に板状で方形の強磁性体材料のヨーク３（７）を各々密着して平行に配置すると共に、その各々両端の内側にヨーク２（５）の切断面が各々直角に接合し、磁石（２）と一体化されているヨーク１（３）及び磁石（２）にヨーク３（７）が接触しないように配置することにより、
ヨーク１（３）は管（１）を挟んで対面する磁石間の磁束密度をヨーク効果で増加させ、対面する一方のヨーク１（３）の角部分及び面から発生する漏洩磁束のみをスペーサー１（４）の間隔を於てヨーク２（５）とヨーク３（７）が形成する磁気回路へ収束し、対面する他方のヨーク１（３）へスペーサー１（４）の間隔をおいて放射収束して、磁石（２）間の磁束密度を更に増大させると共に漏洩磁束を遮蔽し、
更に、スペーサー３（８）をヨーク２（５）とヨーク３（７）の各面に挿入した常（非）磁性体材料の収納ケース（９）に収納して、その外周部では漏洩磁束の測定値が零又は極く微少になるように、構成された磁気照射水処理装置の漏洩磁束の遮蔽法。
【発明の詳細な説明】
【０００１】
【発明の属する技術分野】
磁石を使用する水処理装置で、外部に漏洩する磁束密度を遮蔽する技術に関するものである。
【０００２】
【従来の技術】
従来の磁気を照射し水処理を行う装置で、漏洩磁束を遮蔽する方法として強磁性体の材料が使用されているが、十分な遮蔽がなされていない。又発生体から一定の距離を隔ててケース等に収納し外部に漏洩する磁束密度の感知を減少させている。
【０００３】
【発明が解決しようとする課題】
磁気を照射し水処理を行う装置のうち、管の外周部にヨークを密着した磁石を配置し、磁気照射量を増加させる方法は装置の構造上、漏洩磁束が発生する。装置の周辺では、磁気情報、精密機器、医療器具（心臓ペースメーカー等）が重大な影響を受ける可能性があるため、装置の小型化と同時に漏洩磁束の遮蔽を確実に行う方法の開発が課題である。
【０００４】
【課題を解決するための手段】
管を挟んで、ＮＳ極が対面するように板状の方形の磁石が平行に配置されて、更にその各外側に強磁性体材料のヨークが密着して配置される磁気照射水処理装置では、そのヨークの密着面の外側の面と切断面及び角部分から漏洩磁束が発生している。この漏洩磁束を遮蔽するために、磁石に配置した強磁性体材料のヨークの各外側に更に強磁性体材料のヨークを配置して、その漏洩磁束を遮蔽する手法が行なわれる。発明の漏洩磁束の遮蔽法は、管の両側を挟んで対面する磁石に密着して配置された強磁性体材料のヨークを左右として、管の上下、つまり四面に常（非）磁性体材料のスペーサーを配置し、更にその外周の四面に強磁性体材料のヨークを配置し、漏洩磁束を遮蔽すると同時に磁気回路を構成し、課題を解決しようとするものである。
【０００５】
【発明の実施の形態】
１、管（１）を挟んで平行にＮＳ極を対面させた板状で方形の磁石（２）を配置し、その両外側の各々磁極面に、板状で方形の強磁性体材料のヨーク１（３）を密着して配置した磁気照射水処理装置では、所謂ヨーク効果により管（１）内の磁束密度が増加される。（図１）（図２）
２、磁石（２）にヨーク１（３）が配置されると、その外側の面と切断面及び特に角部分から強力な漏洩磁束が発生する。発生した漏洩磁束を遮蔽するために、管（１）を挟む両側の磁石（２）に密着したヨーク１（３）の両外側に、各々板状又は複数の角棒状の常（非）磁性体材料のスペーサー１（４）を平行に密着して配置し、更にその両外側に強磁性体材料のヨーク２（５）をスペーサー１（４）に平行に密着して配置する。（図１）（図２）
３、平行に対面した磁石（２）に挟まれている管（１）の側面を左右として、上下に対面する両側に常（非）磁性体材料のスペーサー２（６）を装着し、更にその両外側に強磁性体材料のヨーク３（７）を各々装着するが、その各々両端の内側にヨーク２（５）の各々切断面が直角に接合するように、つまり上下のヨーク３（７）がヨーク２（５）の上下の切断面を各々挟むように配置する。（図１）
４、上記１、２、３の構成により、管（１）の両側の磁石（２）に配置されたヨーク１（３）の外側の面及び切断面、特に角部分から強力な漏洩磁束が放射され、スペーサー１（４）を貫通してヨーク２（５）とヨーク３（７）のヨーク群にその大部分が遮蔽される。（図１）（図２）（図３）
５、互いに対面する各々２個のヨーク２（５）とヨーク３（７）は管（１）を挟む磁石（２）及びヨーク１（３）の周囲に方形に囲いを構成する結果、前記４で遮蔽された漏洩磁束はこの方形の囲い内を走査し磁気回路を構成する。つまり、磁束密度は一方の磁石（２）のＮ極→管（１）内の水に放射され→他方の磁石（２）のＳ極→Ｎ極→ヨーク１（３）より放射→スペーサー１（４）を貫通→ヨーク２（５）へ収束→ヨーク３（７）を走査→他方のヨーク２（５）から放射→他方のスペーサー１（４）貫通→他方のヨーク１（３）へ収束→一方の磁石（２）のＳ極→初めのＮ極へと磁気回路を構成する。（図１）（図２）（図３）
６  更にこの磁気回路のヨーク２（５）とヨーク３（７）の接合する角部分から漏洩磁束が発生するが、常（非）磁性体材料のスペーサー３（８）をヨーク２（５）ヨーク３（７）の外周部に装着し、一定の間隔を保持して常（非）磁性体材料の収納ケース（９）に収納するとその外周部では漏洩磁束の感知はゼロか僅かな感知量となる。（図１）（図２）（図３）
７、ヨークに使用する強磁性体材料のスチール材の厚さは、磁石の特性により異なるが磁石の磁極面磁束密度が０、１テスラ程度で最低３ミリ前後のものとする。
８、常（非）磁性体材料のスペーサー１（４）はステンレス材、アルミ材の７〜９ミリの角材又は同厚さの板を使用し、スペーサー２（６）は管（１）とヨーク（３）の各々間に挿入できる大きさのものを、板又はベニヤ板又はプラチック板等を使用し、スペーサー３（８）は収納ケース（９）の外周部において漏洩磁束を感知しない距離を保持するために７ミリ以上の前記角材又は板又はベニヤ板等を使用する。
９、ヨーク２（５）とヨーク３（７）は、平板の他Ｌ型（図４）、コ型（図５）の形状のものを使用することができる。
１０、発明の漏洩磁束の遮蔽法は円管の外、角管その他の変形管に対しても実施できる。但し磁石を装着する部分の管の材質は常（非）磁性体材料とし、実施例ではステンレス管又は通称塩ビ管を使用する。
【０００６】
【発明の効果】
１、対面する磁石（２）に装着したヨーク１（３）は所謂ヨーク効果で磁石（２）間の磁束密度を増加し、その角面から強力に放射する漏洩磁束のみの大部分をスペーサー１（４）とスペーサー２（６）の間隔を保持してヨーク２（５）とヨーク３（７）で構成する磁気回路へ収束又は放射し回路内を走査するために、磁石（２）間の磁束密度は更に増加する。従って管（１）に対面する磁石（２）間の磁束密度を同一に設計する場合、使用する磁石の数を減らすことができ、装置を軽量化できる。
２、本願の漏洩磁束の遮蔽を行わない場合、配置した磁石（２）に密着したヨーク（１）と共に組み立てられた装置を収納した収納ケース（９）の外周部では０、１テスラ以上の漏洩磁束密度を計測するが、発明のヨーク群とスペーサー群の組み合わせによる遮蔽を実施するとその計測値はゼロ又は極く微小になる。
３、管（１）内の磁気照射量を増大させ、漏洩磁束を完全に又は微小な数値まで遮蔽することがでる結果、課題の装置の周辺への影響と小型化を解決することができる。
【図面の簡単な説明】
【図１】  正面図
【図２】  Ａ−Ａ’
【図３】  Ｂ−Ｂ’
【図４】  Ｌ型ヨーク
【図５】  コ型ヨーク
【符号の説明】
１、  管
２、  磁石
３、  ヨーク１
４、  スペーサー１
５、  ヨーク２
６、  スペーサー２
７、  ヨーク３
８、  スペーサー３
９、  収納ケース
１０、Ｌ型ヨーク
１１、コ型ヨーク
【図１】
0003837631.tif 000002
【図２】
0003837631.tif 000003
【図３】
0003837631.tif 000004
【図４】
0003837631.tif 000005
【図５】
0003837631.tif 000006